(57)【特許請求の範囲】
【請求項１】
壁の一部を開口した間口に引戸を装着するに際して、該間口の内側面及び上内面に取付ける木口カバー装置において、該木口カバー装置は対を成す２本のコーナーカバー材と対を成す２本の上カバー材から成り、該コーナーカバー材は概略Ｌ形断面の長尺材であって互いに垂直を成す内面部と表面部を有し、該上カバー材は内面部の先端に垂直を成す表面部を有し、内面部には引戸上端がガイドされるガイド部を突出して設け、上記コーナーカバー材はその表面部を壁表面に面すると共に内面部は間口の内側面に面し、そして上記内面部の表面には凹部を設けると共に凹部の両側には係合溝を形成し、この凹部には引戸が閉じる際の衝撃を緩和する為に軟質樹脂から成るクッション部を設けた硬質樹脂製の基部が嵌って取付けられ、また上カバー材はその表面部を壁表面に面すると共に内面部は間口の上内面に面するように取付けることを特徴とする木口カバー装置。
【請求項２】
上記コーナーカバー材の内面部には、戸尻部材を取付けた請求項１記載の木口カバー装置。
【請求項３】
壁の一部を開口した間口にドアを装着するに際して、該間口の内側面に取付ける木口カバー装置において、該木口カバー装置は対を成す２本のコーナーカバー材から成り、該コーナーカバー材は概略Ｌ形断面の長尺材であって互いに垂直を成す内面部と表面部を有し、片方のコーナーカバー材の内面部にはドアが閉じた際の位置決めと成る戸当り部材をネジ止めなどで固定し、そして、上記コーナーカバー材はその表面部を壁表面に面すると共に内面部は間口の内側面に面するように取付け、また上記表面部に設けたツメに表カバー材を係止して取付けた構造としたことを特徴とする木口カバー装置。
【請求項４】
壁の一部を開口した間口にドアを装着するに際して、該間口の内側面及び上内面に取付ける木口カバー装置において、該木口カバー装置は対を成す２本のコーナーカバー材から成り、該コーナーカバー材は概略Ｌ形断面の長尺材であって互いに垂直を成す内面部と表面部を有し、片方のコーナーカバー材の内面部にはドアが閉じた際の位置決めと成る戸当り部材をネジ止めなどで固定し、そして、上記コーナーカバー材はその表面部を壁表面に面すると共に内面部は間口の内側面及び間口の上内面に面するように取付け、また上記表面部に設けたツメに表カバー材を係止して取付けた構造としたことを特徴とする木口カバー装置。
【請求項５】
片方のコーナーカバー材の内面部に取付けた上記戸当り部材が他方のコーナーカバー材の内面部に跨り、両内面部間に介在する隙間をカバーするようにした請求項３、又は請求項４記載の木口カバー装置。
【請求項６】
上記戸当り部材に内カバー材を取付けた請求項３、又は請求項４記載の木口カバー装置。
【請求項７】
上記戸当り部材に取付けた内カバー材を他のコーナーカバー材の内面部に跨り、両内面部間に介在する隙間をカバーするようにした請求項６記載の木口カバー装置。
【請求項８】
壁の一部を開口した間口の内側面及び上内面に取付ける木口カバー装置において、該木口カバー装置は対を成す２本のコーナーカバー材から成り、該コーナーカバー材は概略Ｌ形断面の長尺材であって互いに垂直を成す内面部と表面部を有し、そして、上記コーナーカバー材はその表面部を壁表面に面すると共に内面部は間口の内側面及び間口の上内面に面するように取付け、片方のコーナーカバー材には内カバー材を取付けると共に該内カバー材は他方のコーナーカバー材の内面部に跨るようにし、また上記表面部に設けたツメに表カバー材を係止して取付けた構造としたことを特徴とする木口カバー装置。
【発明の詳細な説明】
【技術分野】
【０００１】
本発明はドアを取付ける為に壁を開口した間口内側面及び上内面、引戸を取付ける為に壁を開口した間口内側面及び上内面、またドアや引戸を取付けることなく壁を開口した間口の内側面及び上内面に取付ける木口カバー装置に関するものである。
【背景技術】
【０００２】
部屋の側壁の一部を開口して出入口（間口）を設け、この間口には一般にドアや引戸が取付けられる。この場合、該間口にドアを取付ける場合にはドア枠が嵌り、また間口に引戸を取付ける場合には引戸枠が嵌っている。
図２５は従来の引戸枠（イ）を示す正面図であり、該引戸枠（イ）は上枠（ロ）と両縦枠（ハ）、（ハ）を有す門型を成している。図２６は図２５のＡ−Ａ断面拡大図を、図２７は図２５のＢ−Ｂ断面拡大図をそれぞれ表している。
【０００３】
壁（ホ）は所定の間隔をもって平行に配置されているパネル（ニ）、（ニ）にて構成され、この壁（ホ）の一部を開口して間口を設け、該間口に引戸枠（イ）が嵌り、パネル（ニ）、（ニ）にて構成している壁（ホ）の間口の周囲は引戸枠（イ）にてカバーされている。すなわち、間口の縦木口には縦枠（ハ）、（ハ）が取付けられ、開口の上木口には上枠（ロ）が取付けられている。
そして、この引戸枠（イ）には対を成す２枚の引戸（ヘ）、（ヘ）が装着されている。
【０００４】
ところで、上記引戸枠（イ）を構成している上枠（ロ）、及び両縦枠（ハ）、（ハ）は木製であって、その為に縦枠（ハ）の厚さＭは大きく、同じく上枠（ロ）の厚さＨも大きくしている。すなわち、門形引戸枠（イ）としての剛性が必要であり、引戸（ヘ）が閉じる際の衝撃にて縦枠（ハ）が損傷しないような厚さＭとしている。また上枠（ロ）にはガイド溝（ト）、（ト）が設けられて引戸（ヘ）、（ヘ）の上端が遊嵌している。その為に、上枠（ロ）の厚さＨも大きく成っている。
【０００５】
このように厚さ寸法の大きな木製の引戸枠（イ）を壁を開口した間口に嵌めることで、間口寸法は小さく成ってしまう。例えば、壁の間口幅は木製の引戸枠（イ）を該間口に嵌めることで５０ｍｍ〜６０ｍｍ程度小さく成ってしまう。
上記図２５は２枚の引戸（ヘ）、（ヘ）を装着した引戸枠（イ）の場合であるが、ドアを取付ける場合も同じであり、門形の木製ドア枠にドアが取付けられ、その為に壁の一部を開口した間口幅はドア枠を嵌めることで狭くなる。
【０００６】
一方、壁の一部に間口を形成し、この間口に引戸やドアを装着しない場合もあるが、形成した間口の周囲木口をカバーする為に上枠と両縦枠で構成した門形枠体は嵌められる。
従来の木製引戸枠及びドア枠は、枠材の寸法大きさのみならず、木製である為に外部から作用する衝撃に対してキズ付き易いといった問題もある。
【発明の開示】
【発明が解決しようとする課題】
【０００７】
このように、壁の一部を切り抜き開口した間口に嵌って取付けられる従来の木製ドア枠や引戸枠には上記のごとき問題がある。本発明が解決しようとする課題はこれら問題点であり、壁に形成した間口幅を狭くすることなく、出来る限り幅広の間口を作ることが出来る樹脂製の木口カバー装置を提供する。
【課題を解決するための手段】
【０００８】
本発明に係る木口カバー装置は樹脂製とし、複数のカバー材を組み合せて構成している。ここで、壁の構造は特に限定せず、両パネルを平行に配置した前記図２６に示す構造はあくまでも具体例である。
本発明の木口カバー装置は、壁の一部を切り抜き開口した間口の内側面及び上内面に取付けるものであり、従来の引戸枠、ドア枠、又は無目枠に相当するが、引戸を装着する場合、ドアを取付ける場合、又は引戸及びドアを取付けない場合によって木口カバー装置の形態は多少違ってくる。
【０００９】
ところで、該木口カバー装置は、対を成す２本のコーナーカバー材を有し、該コーナーカバー材は表面部と内面部を有すＬ形断面の長尺材としている。表面部は壁表面を被覆し、内面部は間口の内面木口を被覆することが出来る。両コーナーカバー材を対を成して取付けることで間口の周囲内面が被覆される。
間口にドアを取付ける場合であれば、両コーナーカバー材の間に戸当り部材が取付けられる。
【発明の効果】
【００１０】
本発明に係る木口カバー装置は樹脂製とし、複数のカバー材によって壁の一部を切り抜き開口した間口周囲に取付けることが出来る。そして、樹脂製である為に従来の木製枠に比べて強度は高く、各カバー材の肉厚は薄く出来る。従って、木製の枠体を間口に嵌めて取付ける場合に比較して該間口幅は狭くならない。
また、樹脂製の木口カバー装置の各カバー材は硬さ高く、外部からの衝撃に対して表面が窪んだり、キズが付くことはない。そして、木口カバー装置には引戸が閉じた際の衝撃を緩和する為のクッション材やドアの戸当り部を簡単に取付けることが可能である。
【図面の簡単な説明】
【００１１】
【図１】引戸装置の間口正面図。
【図２】図１の横断面拡大図。
【図３】図２の縦断面拡大図。
【図４】間口に取付けるコーナーカバー材の断面図。
【図５】コーナーカバー材に取付けるクッション材の断面図。
【図６】クッション材を取付けたコーナーカバー材を対を成して配置した場合。
【図７】コーナーカバー材に取付ける戸尻部材の断面図。
【図８】間口上面に取付ける上カバー材の断面図。
【図９】上カバー材を対を成して配置した場合。
【図１０】１枚の引戸を装着している引戸装置の横断面図。
【図１１】ドアが装着される間口の正面図。
【図１２】図１１の横断面拡大図。
【図１３】図１１の縦断面拡大図。
【図１４】間口内側面に取付けられる木口カバー装置。
【図１５】図１４の木口カバーを構成するコーナーカバー材。
【図１６】図１４の木口カバーを構成するコーナーカバー材。
【図１７】図１４の木口カバーを構成する表カバー材。
【図１８】図１４の木口カバーを構成する内カバー材。
【図１９】図１４の木口カバーを構成する戸当り部材。
【図２０】間口内側面に取付けられる木口カバー装置。
【図２１】ドアや引戸を取付けない間口の縦断面図。
【図２２】ドアや引戸を取付けない間口の横断面図。
【図２３】ドアや引戸を取付けない間口内側面に取付ける木口カバー装置。
【図２４】図２３に示す木口カバー装置を構成する各部材。
【図２５】従来の引戸が装着される間口の正面図。
【図２６】図２５のＡ−Ａ断面拡大図。
【図２７】図２５のＢ−Ｂ断面拡大図。
【発明を実施するための形態】
【００１２】
図１は２枚の引き違い引戸が装着される間口正面を表している。該間口１の内側面にはコーナーカバー材２，２が取付けられ、間口１の上面には上カバー材３が取付けられている。図２は間口１に２枚の引戸４，４を装着した場合の横断面拡大図であり、図３は間口１に２枚の引戸４，４を装着している場合の縦断面拡大図を示している。そして、図２には上記コーナーカバー材２，２・・・を分離した状態を別に表し、図３には上カバー材３，３を分離した状態を別に表している。
【００１３】
図４はコーナーカバー材２を示す断面拡大図であり、該コーナーカバー材２は同図に示すように概略Ｌ形断面を成した長尺材で、表面部５と内面部６が互いに垂直を成して延びている。そして、上記内面部６の表面には凹部７が形成され、該凹部７の両側には小さい係合溝８，８を形成している。また、上記表面部５の裏側（内側）には当り片９，９を有している。
【００１４】
図５は上記コーナーカバー材２に取付けるクッション材１０の断面図であり、該クッション材１０は基部１１の両側に半円弧状のクッション部１２，１２を一体的に形成している。基部１１は硬質樹脂で、クッション部１２，１２には軟質樹脂が使用され、クッション部１２，１２は基部１１の表面から半円弧状を成して立ち上がり、基部１１の両端には小さい係合片１３，１３を設けている。
【００１５】
図６はコーナーカバー材２，２を対を成して配置し、クッション材１０，１０を取付けた場合を示している。クッション材１０の基部１１は凹部７に嵌り、そして基部両側端に形成している係合片１３，１３は係合溝８，８に係合して取付けられる。そして、基部１１からネジを螺合してコーナーカバー材２と共に下地材にネジ止めにて固定される。
【００１６】
図７はコーナーカバー材２の内面部６にクッション材１０の代わりに取付けられる戸尻部材１４であり、引戸が閉じた際に戸尻側の位置に取付けられる。すなわち、戸先側には上記クッション材１０が取付けられ、反対側の戸尻側には戸尻部材１４を取付けている。該戸尻部材１４はコーナーカバー材２の内面部６に形成した凹部７に取付けることが出来るように両脚１５，１５を有し、脚１５，１５の先端には小さい係合片１３，１３を形成している。従って、脚１５，１５が凹部７に嵌ると共に、係合片１３，１３は係合溝８，８に係合して取付けられる。
【００１７】
図８は上カバー材３を示す断面拡大図である。該上カバー材３は壁の一部を切り抜いて開口した間口１の上内面に当接する内面部１６と表面部１７を有し、表面部１７は内面部１６の先端に垂直を成して下方へ延び、また、内面部１６より上方へ小さく突出した当り片１８を設けている。そして、内面部１６のほぼ中央部にはガイド部１９が下方へ突出して設けている。このガイド部１９は前記図３に示すように、引戸上端に形成しているガイド溝２０に嵌って、該引戸４がスライドする際の案内部材として機能している。
ところで、上カバー材３．３は図９に示すように対を成して間口１の上内面にネジ止めにて取付けられる。
【００１８】
図１０は引戸装置を示す別形態であり、該引戸装置では１枚の引戸４が装着されて間口２１を開閉することが出来る。
ここで、間口２１の壁の木口面には上記コーナーカバー材２，２・・・が取付けられて該壁木口面をカバーしている。そして、引戸４がスライドして当接した際の衝撃を緩和する為に、上記コーナーカバー材２，２には、図５に示すクッション材１０，１０を取付けている。また、引戸４が当たらないコーナーカバー材２，２には図７に示す戸尻部材１４，１４を取付けている。
【００１９】
図１１はドア装置の正面図であり、壁の一部を切り抜いて開口した間口２２には開きドアを装着することが出来る。そして、図１２はドアを装着していない状態でのドア装置の横断面拡大図を、図１３はドア装置の縦断面拡大図をそれぞれ表している。図１４は上記図１２に示すドア装置に取付けている間口内側面に取付けた木口カバーを示す拡大図であり、図１４（ａ）は壁の厚さが大きい場合、図１４（ｂ）は壁厚さが小さい場合である。
【００２０】
図１５は上記木口カバーを構成するコーナーカバー材２３の断面拡大図であり、内面部２４と表面部２５を有して互いに垂直を成している。すなわち、概略Ｌ形断面の長尺材であり、表面部２５には対を成す２本のツメ２６，２６が外方向へ延びている。また、図１６もコーナーカバー材２７を示す断面拡大図であり、互いに垂直を成す内面部２８と表面部２９を有したＬ形断面の長尺材であり、表面部２９には対を成して延びる２本のツメ２６，２６を有している。
【００２１】
ところで、上記コーナーカバー材２３とコーナーカバー材２７は対を成して間口２２の内側面に取付けられ、表面部２５、２９は壁を構成するパネル表面に当接して取付けられる。ここで、壁の厚さと成る両パネル表面間の距離が大きい場合には、図１４（ａ）に示すように内面部２４と内面部２８の間に隙間３０を設け、逆に壁の厚さと成る両パネル表面間の距離が小さい場合には、図１４（ｂ）に示すように、内面部２４と内面部２８の間に隙間３０は殆どない。このように、両コーナーカバー材２３と２７を対を成して配置することで、壁の厚さの変化にも対応することが出来る。
【００２２】
図１７は表カバー材３１を示す断面拡大図であり、上記コーナーカバー材２３，２７の表面部２５、２９に取付けられる。そこで、該表カバー材３１には対を成して延びる係止片３２，３２を設け、これら係止片３２，３２が表面部２５，２９に設けているツメ２６，２６に係止して取付けられる。図１４は表面部２５，２９に表カバー材３１，３１を取付けた場合を示している。
【００２３】
図１８は内カバー材３３の断面拡大図を示し、図１９は戸当たり部材３４の断面拡大図を表している。上記戸当り部材３４にはゴム質などで構成した緩衝部３５を設け、また、２本のツメ３６，３６を延ばしている。該戸当り部材３４は図１４に示すようにコーナーカバー材２３の内面部２４に当接して配置され、該戸当り部材３４はコーナーカバー材２３と共に間口２２に沿って設けている下地材にネジ止め又はクギ打ちにて固定される。そして、内カバー材３３にも２本のツメ３７，３７が設けられ、このツメ３７，３７はツメ３６，３６に係止することで戸当り部材３４に取付けられる。
【００２４】
内カバー材３３はコーナーカバー材２３の内面部２４とコーナーカバー材２７の内面部２８に跨って配置され、その為に、両内面部２４と２８との間に介在する隙間３０を被覆することが出来る。
図２０は前記図１４に示す木口カバーの別構造であり、コーナーカバー材３８の内面部に２本のツメを起立し、このツメに直接係止して戸当り部材３９が取付けられている。したがって、図１４に示した実施例のような内カバー材３３が用いられていない。
【００２５】
前記図１１に示すドア装置の正面図に示すように、間口２２の上内面には木口カバーを取付けていないが、該上内面に該木口カバーを取付けることも可能である。
そこで、間口２２の上内面に取付ける木口カバーの構造は、図１４に示すように構成したり、又は図２０に示すように構成することが出来る。
【００２６】
一方、壁の一部を切り抜き開口して間口を設け、この間口に引戸やドアを一般的に取付けるが、引戸やドアを備えない場合もある。図２１、図２２は引戸やドアを備えない間口４０の内側面及び上内面に木口カバーを取付けた場合の実施例である。
図２３は木口カバーの取付け構造を示す断面拡大図である。基本的な構造は図１４にて説明した場合と同じである。そして、図２４（ａ）〜（ｅ）は該構造を構成する各部材の断面図をそれぞれ表している。（ａ）はコーナーカバー材、（ｂ）コーナーカバー材、（ｃ）表カバー材、（ｄ）基材、（ｅ）内カバー材である。
【符号の説明】
【００２７】
１   間口
２   コーナーカバー材
３   上カバー材
４   引戸
５   表面部
６   内面部
７   凹部
８   係合溝
９   当り片
10   クッション材
11   基部
12   クッション部
13   係合片
14   戸尻部材
15   脚
16   内面部
17   表面部
18   当り片
19   ガイド部
20   ガイド溝
21   間口
22   間口
23   コーナーカバー材
24   内面部
25   表面部
26   ツメ
27   コーナーカバー材
28   内面部
29   表面部
30   隙間
31   表カバー材
32   係止片
33   内カバー材
34   戸当り部材
35   緩衝部
36   ツメ
37   ツメ
38   コーナーカバー材
39   戸当り部材
40   間口
【図１】
0006333743.tif 000002
【図２】
0006333743.tif 000003
【図３】
0006333743.tif 000004
【図４】
0006333743.tif 000005
【図５】
0006333743.tif 000006
【図６】
0006333743.tif 000007
【図７】
0006333743.tif 000008
【図８】
0006333743.tif 000009
【図９】
0006333743.tif 000010
【図１０】
0006333743.tif 000011
【図１１】
0006333743.tif 000012
【図１２】
0006333743.tif 000013
【図１３】
0006333743.tif 000014
【図１４】
0006333743.tif 000015
【図１５】
0006333743.tif 000016
【図１６】
0006333743.tif 000017
【図１７】
0006333743.tif 000018
【図１８】
0006333743.tif 000019
【図１９】
0006333743.tif 000020
【図２０】
0006333743.tif 000021
【図２１】
0006333743.tif 000022
【図２２】
0006333743.tif 000023
【図２３】
0006333743.tif 000024
【図２４】
0006333743.tif 000025
【図２５】
0006333743.tif 000026
【図２６】
0006333743.tif 000027
【図２７】
0006333743.tif 000028